(57)【要約】【課題】モータ電流を検出してモータを回転制御するモータ制御装置において、ＰＷＭキャリア周期とモータ電流の検出タイミングを容易な手段で合わせることができるモータ制御装置を提供する。【解決手段】ΔΣＡＤ変換器からの出力信号を間引きフィルタによってモータ電流を得るモータ制御装置で、ＰＷＭ同期信号と間引きフィルタの動作開始タイミングを同期させ、間引きフィルタによるディジタルフィルタ処理によって、モータ電流を検出した後、間引きフィルタの動作を停止させる。【選択図】図１
2015006022.tif 000002
【特許請求の範囲】
【請求項１】
モータ電流を検出してモータを回転制御するモータ制御装置において、
モータ電流を電圧に変換してモータ電流アナログ信号を出力するモータ電流検出手段と、前記モータ電流アナログ信号をＡＤ変換クロック毎にディジタルデータに変換しモータ電流ディジタル信号を出力するΔΣＡＤ変換器と、前記ΔΣＡＤ変換器からのモータ電流ディジタル信号をフィルタ処理によって間引きクロック毎にフィルタ後のモータ電流検出値を出力するＡＤ変換間引きフィルタと、
モータの回転指令により前記モータ電流検出値を制御するディジタル信号処理手段と、前記ディジタル信号処理手段の結果に基づきモータへの印加電圧をＰＷＭで可変制御する電力変換手段と、ＰＷＭキャリア周期の１／２時間と同期したＰＷＭ同期信号と前記ＡＤ変換間引きフィルタの動作開始／クリアを制御するフィルタ制御信号とフィルタ後のモータ電流検出値をラッチするラッチタイミング信号を出力するタイミング生成器を備え、
前記ＰＷＭ同期信号と前記フィルタ制御信号からの動作開始信号を同期させ、前記ＡＤ変換間引きフィルタによるディジタルフィルタ処理によって、前記フィルタ後のモータ電流検出値が生成された後、前記フィルタ制御信号をクリア信号に切り替えることを特徴とするモータ制御装置。
【請求項２】
前記フィルタ制御信号からの動作開始信号は、前記ＰＷＭ同期信号から一定時間遅延させることを特徴とする請求項１に記載のモータ制御装置。
【請求項３】
前記フィルタ制御信号からの動作開始信号は、前記ＡＤ変換間引きフィルタによって前記フィルタ後のモータ電流検出値を生成するのに要する演算時間の１／２早く生成することを特徴とする請求項１に記載のモータ制御装置。
【発明の詳細な説明】
【技術分野】
【０００１】
本発明は、モータの巻線に流れる電流を制御することで、モータの回転を自在にコントロールするモータ制御装置において、モータ電流検出値の変動を抑えるものである。
【背景技術】
【０００２】
ＰＷＭ（Ｐｕｌｓｅ  Ｗｉｄｔｈ  Ｍｏｄｕｌａｔｉｏｎ）制御によってモータを制御する方式では、マイクロプロセッサを用いたディジタル制御が広く行われている。モータを制御するためには、モータの巻線に流れる電流（以下、モータ電流）を検出する必要があり、ディジタル制御ではＰＷＭのスチッチングタイミングを生成するＰＷＭ周期毎にモータ電流を検出し、電流指令値と一致するようにＰＩ制御（比例＋積分制御）などを用いて制御が行われる。ＦＡサーボで使用される表面磁石構造の同期モータ（Ｓｕｒｆａｃｅ
Ｐｅｒｍａｎｅｎｔ  Ｍａｇｎｅｔ  Ｓｙｎｃｈｒｏｎｏｕｓ  Ｍｏｔｏｒ）が出力するトルクはモータ電流と比例関係にあるので、モータ電流の値をＰＷＭ制御によって制御することで、モータから出力されるトルクを自在にコントロールすることができる。
【０００３】
モータ電流の検出には、図１に示すようにモータ制御装置の電力変換手段とモータ巻線との間に抵抗を設け、モータ電流が流れることで抵抗間に生じる電圧をＡＤ変換手段でディジタル変換することにより、モータ電流を検出することが一般的に行われている。また、最近では電力変換手段からのスイッチングノイズの影響を受けにくいという面からＡＤ変換手段にΔΣＡＤ変換器を用いることが提案されている（例えば、特許文献１）。
【０００４】
図７は従来例のＡＤ変換手段であり、ΔΣＡＤ変換器２０とＡＤ変換間引きフィルタ２１、ラッチ回路４０で構成される。図８は従来例のモータ電流を検出する動作波形図である。ΔΣＡＤ変換器２０は高周波のＡＤ変換クロック３４毎に１ｂｉｔのモータ電流ディジタル信号３６を出力し、ＡＤ変換間引きフィルタ２１でノイズをカットしたフィルタ後のモータ電流検出値３３を生成する。
【０００５】
図７のＡＤ変換間引きフィルタ２１はｓｉｎｃ２フィルタと言われるもので、前段の第１の加算器１４、第２の加算器１５と、後段の第１の減算器１６、第２の減算器１７で構成され、後段の回路はＡＤ変換クロック３４の２のｎ乗分周（ｎは整数）された間引きクロック３５で動作する。間引きクロック３５はＰＷＭキャリア周期と同期したクロックを選定することにより、ＰＷＭキャリア周期の決まったタイミングでモータ電流を検出することができるので、ＰＷＭスイッチングの影響を受けることなく、安定したモータ電流を検出することができる。そしてフィルタ後のモータ電流検出値３３はＰＷＭ三角波の頂点と底点で出力されるＰＷＭ同期信号４３と同期したラッチタイミング信号３９によってモータ電流ラッチデータ４２を取り込み、モータを制御する。
【先行技術文献】
【特許文献】
【０００６】
【特許文献１】特開平１０−１９１６７８号公報
【発明の概要】
【発明が解決しようとする課題】
【０００７】
しかしながら、ΔΣＡＤ変換器２０の分解能を上げるためには、ＡＤ変換クロック３４の周波数を高くし、間引きクロック３５の周波数を低くする（分周比を上げる）ことが必要であるが、間引きクロック３５とＰＷＭ周波数に合わせてＡＤ変換クロック３４の周波数を設定するには、ＰＷＭキャリア周波数を２のｎ乗倍にすると周波数が細かくなり、設
定するのは困難である。また、間引きクロック３５に合わせてＰＷＭキャリア周波数の周期を変更することは、全体システムのタイミングが変わってしまうという問題がある。図８に示すように間引きクロック３５とＰＷＭキャリア周期が非同期の設定で使用すると、フィルタ後のモータ電流検出値３３の生成とＰＷＭ同期信号４３のタイミングにずれが生じ、フィルタ後のモータ電流検出値３３に変動成分が重畳するという問題がある。
【０００８】
本発明は上述従来の課題を解決するものであり、モータの巻線に流れる電流を制御することで、モータの回転を自在にコントロールするモータ制御装置において、モータ電流の検出とＰＷＭキャリア周期にタイミングを合わせることにより、モータ電流検出値の変動を抑えるものである。
【課題を解決するための手段】
【０００９】
上記課題を解決するために請求項１に記載のモータ制御装置は、モータ電流を検出してモータを回転制御するモータ制御装置において、モータ電流を電圧に変換してモータ電流アナログ信号を出力するモータ電流検出手段と、前記アナログ電流検出信号をＡＤ変換クロック毎にディジタルデータに変換しモータ電流ディジタル信号を出力するΔΣＡＤ変換器と、前記ΔΣＡＤ変換器からのモータ電流ディジタル信号をフィルタ処理によって間引きクロック毎にフィルタ後のモータ電流検出値を出力するＡＤ変換間引きフィルタと、モータの回転指令により前記モータ電流検出値を制御するディジタル信号処理手段と、前記ディジタル信号処理手段の結果に基づきモータへの印加電圧をＰＷＭで可変制御する電力変換手段と、ＰＷＭキャリア周期の１／２時間と同期したＰＷＭ同期信号と前記ディジタルフィルタ処理の動作開始／クリアを制御するフィルタ制御信号とフィルタ後のモータ電流検出値をラッチするラッチタイミング信号を出力するタイミング生成器を備え、前記ＰＷＭ同期信号と前記フィルタ制御信号からの動作開始信号を同期させ、前記ＡＤ変換間引きフィルタによるディジタルフィルタ処理によって、前記フィルタ後のモータ電流検出値が生成された後、前記フィルタ制御信号をクリア信号に切り替える。
【００１０】
また、前記フィルタ制御信号からの動作開始信号は、前記ＰＷＭ同期信号から一定時間遅延させる。
【００１１】
また、前記フィルタ制御信号からの動作開始信号は、前記ＡＤ変換間引きフィルタによって前記フィルタ後のモータ電流検出値を生成するのに要する演算時間の１／２早く生成する。
【発明の効果】
【００１２】
請求項１に記載のモータ制御装置によれば、ＰＷＭキャリア周期に同期したモータ電流を検出することができるので、モータ電流の検出遅延によるばらつきがなくなり、モータ制御の応答性を高めることができる。
【００１３】
また、請求項２に記載のモータ制御装置によれば、モータ電流の検出タイミングを自在に変えることができるので、モータ制御装置のシステムに最適となるタイミングに合わせて安定したモータ制御を行うことができる。
【００１４】
また、請求項３に記載のモータ制御装置によれば、電力変換手段のスイッチングの影響を受けにくいタイミングで電流を検出することができるので、高精度でノイズに強いモータ電流の検出手段を構成することが可能となり、安定したモータ制御を行うことができる。
【図面の簡単な説明】
【００１５】
【図１】本発明の実施例１におけるモータ制御装置のブロック構成図
【図２】実施例１のモータ電流を検出するＡＤ変換手段のブロック構成図
【図３】実施例１のモータを制御するディジタル信号制御手段のブロック構成図
【図４】実施例１のモータ電流を検出する動作波形図
【図５】実施例２のモータ電流を検出する動作波形図
【図６】実施例３のモータ電流を検出する動作波形図
【図７】従来例のモータ電流を検出するＡＤ変換手段のブロック構成図
【図８】従来例のモータ電流を検出する動作波形図
【発明を実施するための形態】
【００１６】
第１の発明は、モータ電流を検出してモータを回転制御するモータ制御装置において、モータ電流を電圧に変換してモータ電流アナログ信号を出力するモータ電流検出手段と、前記アナログ電流検出信号をＡＤ変換クロック毎にディジタルデータに変換しモータ電流ディジタル信号を出力するΔΣＡＤ変換器と、前記ΔΣＡＤ変換器からのモータ電流ディジタル信号をフィルタ処理によって間引きクロック毎にフィルタ後のモータ電流検出値を出力するＡＤ変換間引きフィルタと、モータの回転指令により前記モータ電流検出値を制御するディジタル信号処理手段と、前記ディジタル信号処理手段の結果に基づきモータへの印加電圧をＰＷＭで可変制御する電力変換手段と、ＰＷＭキャリア周期の１／２時間と同期したＰＷＭ同期信号と前記ディジタルフィルタ処理の動作開始／クリアを制御するフィルタ制御信号とフィルタ後のモータ電流検出値をラッチするラッチタイミング信号を出力するタイミング生成器を備え、前記ＰＷＭ同期信号と前記フィルタ制御信号からの動作開始信号を同期させ、前記ＡＤ変換間引きフィルタによるディジタルフィルタ処理によって、前記フィルタ後のモータ電流検出値が生成された後、前記フィルタ制御信号をクリア信号に切り替えるため、ＰＷＭキャリア周期に同期したモータ電流を検出することができるので、モータ電流の検出遅延によるばらつきがなくなり、モータ制御の応答性を高めることができる。
【００１７】
第２の発明は、前記フィルタ制御信号からの動作開始信号は、前記ＰＷＭ同期信号から一定時間遅延させるため、モータ電流の検出タイミングを自在に変えることができるので、モータ制御装置のシステムに最適となるタイミングに合わせて安定したモータ制御を行うことができる。
【００１８】
第３の発明は、前記フィルタ制御信号からの動作開始信号は、前記ＡＤ変換間引きフィルタによって前記フィルタ後のモータ電流検出値を生成するのに要する演算時間の１／２早く生成するため、電力変換手段のスイッチングの影響を受けにくいタイミングで電流を検出することができるので、高精度でノイズに強いモータ電流の検出手段を構成することが可能となり、安定したモータ制御を行うことができる。
【００１９】
以下、本発明の実施の形態について、図面を参照しながら説明する。なお、この実施の形態によって本発明が限定されるものではない。
【００２０】
（実施の形態１）
本発明によるモータ制御装置について、図１、図２、図３および図４を用いて説明する。
【００２１】
図１は実施の形態１におけるモータ制御装置のブロック構成図、図２はモータ電流を検出するＡＤ変換手段のブロック構成図、図３はモータを制御するディジタル制御手段のブロック構成図、図４はモータ電流を検出する動作波形図であり、以下に各動作について説明する。
【００２２】
図１において３はモータであり、効率や制御性の点からロータに磁石を配置した３相ブ
ラシレスモータが広く利用されている。
【００２３】
９は磁極位置検出器であり、ロータの回転位置を検出するものであり、モータをＰＷＭによって制御する場合に磁石位置の検出を行い、磁極位置情報３７を出力する。
【００２４】
２は電力変換手段であり、後述するディジタル信号処理手段１からのＰＷＭ指令を受け、モータ３に電圧を印加するものであり、ＩＧＢＴとダイオードなどの電力素子で構成される。最近では電力素子を駆動するためのプリドライブ回路を内蔵したＩＰＭ（Ｉｎｔｅｌｌｉｇｅｎｔ  Ｐｏｗｅｒ  Ｍｏｄｕｌｅ）により、一体成型されたものがよく用いられる。
【００２５】
１はディジタル信号処理手段であり、図３に示すように位置アンプ、速度アンプ、電流アンプ、ＰＷＭ発生回路４１で構成される。上位装置からのモータ回転指令３１と、磁極位置検出器９からの磁極位置情報３７から位置制御、速度制御および電流制御を行い、ＰＷＭ発生回路４１によってモータを駆動するためのＰＷＭ信号（Ｐ１〜Ｐ６）を出力する。ＰＷＭ信号は図４に示すようにアップダウンカウンタにより生成されるＰＷＭ三角波と電流制御で演算した電圧指令値とを比較することによって、ＰＷＭ指令信号（Ｐ１〜Ｐ６）を生成する。ＰＷＭ信号の生成タイミングは、後述するタイミング生成器７からのトリガ信号であるＰＷＭ同期信号４３のタイミング毎に更新する。電流制御は後述するモータ電流検出部５で検出したモータ電流ラッチデータ４２ａ、４２ｂを用いて行う。
【００２６】
７はタイミング生成器であり、モータ制御装置の各ブロックが動作するタイミング信号を生成し、ＰＷＭ同期信号４３、ＡＤ変換クロック３４、フィルタ制御信号３８、ラッチタイミング信号３９を出力する。ＰＷＭ同期信号４３は、ディジタル信号処理手段１で生成するＰＷＭ三角波の頂点と最下点のタイミングで出力するトリガ信号であり、図４に示すようにＰＷＭキャリア周期の１／２時間毎に同期する。ＡＤ変換クロック３４は後述するΔΣＡＤ変換器を動作させるためのクロックであり、数十ＭＨｚの周波数で動作させるのが一般的である。フィルタ制御信号３８は後述するＡＤ変換間引きフィルタの動作をコントロールするものであり、図４では“Ｈ”でフィルタ処理ＯＮ、“Ｌ”で停止（クリア）の動作を行う例を示している。ラッチタイミング信号３９は後述するＡＤ変換間引きフィルタでフィルタ処理したモータ電流値を取り込むタイミングを生成するものであり、電流制御のタイミングに合わせてモータ電流を取り込むため、図４のようにＰＷＭ同期信号４３と同期したタイミングで出力する。
【００２７】
４ａ、４ｂはモータ電流検出手段であり、モータ線８に流れるモータ電流を電圧に変換してモータ電流アナログ信号３２ａ、３２ｂを生成する。モータ電流検出手段４ａ、４ｂは小電流の場合は抵抗、大電流の場合はＣＴ（Ｃｕｒｒｅｎｔ  Ｔｒａｎｓｆｅｒ）が用いられる。
【００２８】
５はモータ電流検出部であり、第１のＡＤ変換手段６ａ、第２のＡＤ変換手段６ｂで構成し、更に第１のＡＤ変換手段６ａは図２に示すようにΔΣＡＤ変換器２０ａとＡＤ変換間引きフィルタ２１ａとラッチ回路４０ａで構成される。
【００２９】
ΔΣＡＤ変換器２０ａはモータ電流アナログ信号３２ａを１ｂｉｔのディジタル信号に変換し、ＡＤ変換クロック３４毎にＡＤ変換信号３６ａを出力する。
【００３０】
ＡＤ変換間引きフィルタ２１ａは図２の例では２次のフィルタ構成をしており、２つの加算器と２つの減算器とＡＤ変換クロック３４の周波数を１／Ｎ倍（Ｎは２のｎ乗、ｎは整数）にする分周器で構成する。
【００３１】
ＡＤ変換間引きフィルタ２１ａは、ΔΣＡＤ変換器から出力された１ｂｉｔのディジタル信号であるＡＤ変換信号３６ａをＡＤ変換クロック毎に第１の加算器１４ａで積分することで第１の加算データ２２ａを生成し、更に第１の加算データ２２ａを第２の加算器１５ａで積分することで第２の加算データ２３ａを生成する。第１の加算器１４ａと第２の加算器１５ａで生成されたデータはフィルタ制御信号３８が“Ｌ”となるとゼロにクリアされる。
【００３２】
第１の減算器１６ａと第２の減算器１７ａはＡＤ変換クロック３４を１／Ｎ倍に分周した間引きクロック３５毎に動作する。第１の減算器１６ａは今回の間引きクロック３５で入力した第２の加算データ２３ａと前回の間引きクロック３５で生成された第１の差分データ２４ａとの差分を演算し、新たな第１の差分データ２４ａを生成する。第１の減算器１６ａで生成されたデータはフィルタ制御信号３８が“Ｌ”となるとゼロにクリアされる。
【００３３】
第２の減算器１７ａも同様に今回の間引きクロック３５で入力した第１の差分データ２４ａと前回の間引きクロック３５で生成されたフィルタ後のモータ電流検出値３３ａとの差分を演算し、新たなフィルタ後のモータ電流検出値３３ａを生成する。第２の減算器１７ａで生成されたデータはフィルタ制御信号３８が“Ｌ”となり、後述するラッチタイミング信号３９によるトリガによってデータが取り込まれた後にゼロにクリアされる。
【００３４】
前述したようにＡＤ変換間引きフィルタ２１ａは２次のフィルタ構成であるので、間引きクロック３５の２回のクロック動作によって、フィルタ後のモータ電流検出値３３ａの真値を生成することができる。尚、３次のフィルタ構成の場合は、加算器と減算器がそれぞれ３つずつとなる構成になり、間引きクロック３５の３回のクロック動作によって、フィルタ後のモータ電流検出値３３ａの真値を生成することができる。
【００３５】
ラッチ回路４０ａはタイミング生成器７からのラッチタイミング信号３９毎にＡＤ変換間引きフィルタ２１ａで生成されたフィルタ後のモータ電流検出値３３ａを取り込み、モータ電流ラッチデータ４２ａを生成する。上記説明は第１のＡＤ変換手段６ａを例にしたが、第２のＡＤ変換手段６ｂも同様に構成される。
【００３６】
以上が各ブロックの動作の説明であり、次に図４を用いて本発明の実施の形態１の動作について説明する。
【００３７】
モータ制御装置が動作状態になると、タイミング生成器７からＡＤ変換クロック３４と、ＰＷＭキャリア周期に同期したＰＷＭ同期信号４３を出力する。ＰＷＭ同期信号４３のトリガによって、フィルタ制御信号３８を“Ｈ”としてＡＤ変換間引きフィルタ２１ａのフィルタ処理をＯＮとし、積分および微分動作を開始する。フィルタ処理がＯＮとなるとＡＤ変換クロック３４毎にΔΣＡＤ変換器から出力される１ｂｉｔのディジタル信号を第１の加算器１４ａで積分することで第１の加算データ２２ａを生成し、更に第１の加算データ２２ａを第２の加算器１５ａで積分することで第２の加算データ２３ａを生成する。
【００３８】
第１の減算器１６ａは今回の間引きクロック３５で入力した第２の加算データ２３ａと前回の間引きクロック３５で生成された第１の差分データ２４ａとの差分を演算し、新たな第１の差分データ２４ａを生成する。第２の減算器１７ａも同様に今回の間引きクロック３５で入力した第１の差分データ２４ａと前回の間引きクロック３５で生成されたフィルタ後のモータ電流検出値３３ａとの差分を演算し、新たなフィルタ後のモータ電流検出値３３ａを生成する。
【００３９】
上記の動作はフィルタ制御信号３８が“Ｈ”の間、繰り返し実施する。図２のＡＤ変換
間引きフィルタ２１ａは２次フィルタの構成をしており、図４に示すように間引きクロック３５による動作が２回行った後、フィルタ制御信号３８を“Ｌ”とし、第１の加算器１４ａと第２の加算器１５ａと第１の減算器１６ａで生成されたデータはゼロにクリアする。そしてＰＷＭ同期信号４３に同期してラッチタイミング信号３９のトリガが生成され、フィルタ後のモータ電流検出値３３ａをモータ電流ラッチデータ４２ａとして取り込んだ後、フィルタ後のモータ電流検出値３３ａはゼロにクリアされる。このＰＷＭ同期信号４３のトリガによって、再びフィルタ制御信号３８は“Ｈ”となり、上記フィルタ処理の動作を繰り返し行う。
【００４０】
上記のフィルタ処理は第１のＡＤ変換手段６ａの説明であるが、第２のＡＤ変換手段６ｂの場合も同様な動作となる。
【００４１】
以上のような構成とすることにより、ＰＷＭキャリア周期と同期したタイミングでモータ電流を検出することができるので、モータ電流の検出遅延によるばらつきがなくなり、モータ制御の応答性を高めることができる。
【００４２】
尚、上記ではＡＤ変換間引きフィルタ２１ａを２次フィルタと仮定しているが、３次フィルタの場合は間引きクロック３５の３つ目のクロックが入力された後、フィルタ制御信号３８を“Ｌ”とすることで同様の効果を得ることができる。
（実施の形態２）
図５を用いて本発明の実施の形態２について説明する。実施の形態１と異なるのはタイミング生成器７に遅延回路を設け、トリガタイミングを自在に遅延させることができるようにした点であり、以下に説明する。
【００４３】
図５に示すようにタイミング生成器７からのＰＷＭ同期信号４３を基準とし、フィルタ制御信号３８とラッチタイミング信号３９に遅延回路を設け、遅延時間の設定により自在にトリガタイミングを遅延できる構成とする。
【００４４】
フィルタ制御信号３８はＰＷＭ同期信号４３からｔ１後に“Ｈ”としてフィルタ処理をＯＮとし、ラッチタイミング信号３９はＰＷＭ同期信号４３からｔ２後にトリガを出力し、モータ電流を取り込む。
【００４５】
以上のような構成とすることにより、モータ電流の検出タイミングを自在に変えることができるので、ディジタル信号処理手段１で検出したモータ電流値を用いて演算を行う際に、モータ電流検出後から演算までの時間が短くなるようにｔ１、ｔ２を選定することで、モータ制御装置のシステムに最適となるタイミングに合わせて安定したモータ制御を行うことができる。
（実施の形態３）
図６を用いて本発明の実施の形態３について説明する。実施の形態２と異なるのはフィルタ制御信号３８のフィルタ処理ＯＮタイミングを設定したものであり、以下に説明する。
【００４６】
図６に示すようにタイミング生成器７からのＰＷＭ同期信号４３を基準とし、フィルタ制御信号３８とラッチタイミング信号３９に遅延回路を設ける。ＰＷＭ同期信号４３のトリガタイミングを基準に、フィルタ制御信号３８のフィルタ処理ＯＮ時間（“Ｈ”区間）の１／２時間早く“Ｈ”となるようにフィルタ制御信号３８の出力をコントロールする。
【００４７】
以上のような構成とすることにより、電力変換手段２のＰＷＭスイッチングのタイミング（図６の第１のＰＷＭ指令信号  Ｐ１の立ち上がりおよび立下りタイミング）を外しやすくなるため、電力変換手段のスイッチングの影響を受けにくいタイミングで電流を検出
することができるので、高精度でノイズに強いモータ電流の検出手段を構成することが可能となり、安定したモータ制御を行うことができる。
【産業上の利用可能性】
【００４８】
ΔΣＡＤ変換器からの出力信号を間引きフィルタによってモータ電流を得るモータ制御装置で、ＰＷＭ同期信号と間引きフィルタの動作開始タイミングを同期させ、間引きフィルタによるディジタルフィルタ処理によって、モータ電流を検出した後、間引きフィルタの動作を停止させるように動作させることで、ＰＷＭキャリア周期に同期したモータ電流を検出することができるので、モータ電流の検出遅延によるばらつきがなくなり、モータ制御の応答性を高めることができるため、モータ電流を検出してモータ制御を行う制御装置として特に有効である。
【符号の説明】
【００４９】
１  ディジタル信号処理手段
２  電力変換手段
３  モータ
４ａ、４ｂ  モータ電流検出手段
５  モータ電流検出部
６ａ  第１のＡＤ変換手段
６ｂ  第２のＡＤ変換手段
７  タイミング生成器
８  モータ線
９  磁極位置検出器
１４、１４ａ  第１の加算器
１５、１５ａ  第２の加算器
１６、１６ａ  第１の減算器
１７、１７ａ  第２の減算器
１８、１８ａ  クロック分周器
２０、２０ａ  ΔΣＡＤ変換器
２１、２１ａ  ＡＤ変換間引きフィルタ
２２、２２ａ  第１の加算データ
２３、２３ａ  第２の加算データ
２４、２４ａ  第１の差分データ
３１  モータ回転指令
３２、３２ａ  モータ電流アナログ信号
３３、３３ａ  フィルタ後のモータ電流検出値
３４  ＡＤ変換クロック
３５  間引きクロック
３６ａ  ＡＤ変換信号
３７  磁極位置情報
３８  フィルタ制御信号
３９  ラッチタイミング信号
４０、４０ａ  ラッチ回路
４１  ＰＷＭ発生回路
４２、４２ａ  モータ電流ラッチデータ
４３  ＰＷＭ同期信号
【図１】
2015006022.tif 000003
【図２】
2015006022.tif 000004
【図３】
2015006022.tif 000005
【図４】
2015006022.tif 000006
【図５】
2015006022.tif 000007
【図６】
2015006022.tif 000008
【図７】
2015006022.tif 000009
【図８】
2015006022.tif 000010